(57)【要約】【課題】レールの頭側部の超音波探傷を安定して行うことができるレール用超音波探傷治具、レールの頭側部の超音波探傷方法、レールの品質保証方法、及びレールの製造方法を提供する。【解決手段】レール用超音波探傷治具１は、レール７０の頭側部７１ｂ上に載置されるとともに、超音波発振面５１が頭側部７１ｂの頭側面７１ｂａに接触するように超音波探傷器の探触子５０を固定する頭側部対向部分２と、レール７０の腹部７３上に載置される腹部対向部分３と、頭側部対向部分２と腹部対向部分３とを接続する接続部分４とを備えている。【選択図】図３
2019144032.tif 000002
【特許請求の範囲】
【請求項１】
頭頂部、頭側部及び頭下部を有する頭部と、足部と、前記頭部の頭下部と前記足部とを連結する腹部とを備えたレールの前記頭側部を超音波探傷するためのレール用超音波探傷治具であって、
前記レールの頭側部上に載置されるとともに、超音波発振面が前記頭側部の頭側面に接触するように超音波探傷器の探触子を固定する頭側部対向部分と、
前記レールの腹部上に載置される腹部対向部分と、
前記頭側部対向部分と前記腹部対向部分とを接続する接続部分とを備えたことを特徴とするレール用超音波探傷治具。
【請求項２】
前記腹部対向部分は、超音波発振面が前記腹部の腹部側面に接触するように超音波探傷器の探触子を固定可能となっていることを特徴とする請求項１に記載のレール用超音波探傷治具。
【請求項３】
前記腹部対向部分のレール鉛直軸方向の長さ及び前記接続部分のレール鉛直軸方向の厚みが、前記腹部対向部分を前記腹部上に載置した状態で前記腹部対向部分を最も前記足部の足甲面側に移動させた場合に、前記接続部分の、前記頭下部の頭下面に対向する対向面と、前記頭下面との間の最大離間距離が２ｍｍ以下となるように、設定されていることを特徴とする請求項１又は２に記載のレール用超音波探傷治具。
【請求項４】
請求項１乃至３のうちいずれか一項に記載のレール用超音波探傷治具を用いることを特徴とするレールの頭側部の超音波探傷方法。
【請求項５】
請求項４に記載のレールの頭側部の超音波探傷方法によりレールの品質保証を実施することを特徴とするレールの品質保証方法。
【請求項６】
請求項４に記載のレールの頭側部の超音波探傷方法によりレールの品質保証を実施する品質保証工程を有することを特徴とするレールの製造方法。
【発明の詳細な説明】
【技術分野】
【０００１】
本発明は、レール用超音波探傷治具、レールの頭側部の超音波探傷方法、レールの品質保証方法、及びレールの製造方法に関する。
【背景技術】
【０００２】
一般的にレールは遅れ破壊により内部に割れが発生するケースがある。このため、レールの圧延終了後に超音波による非破壊検査を行ってレールの内部の割れを確認している。レール内部の超音波による非破壊検査では、レールの頭部、腹部及び足部の各断面において超音波探傷による検査をし、その性能を保証してきた。ここで、レールの形状は複雑であるため、図８に示すように、超音波探傷部位に応じてそれぞれ専用の超音波探傷治具を用い、超音波探傷部位がレール１０１の頭部１０２の頭頂部１０２ａである場合には、超音波探傷器の探触子１１１を固定した頭頂部専用治具１１０を頭頂部１０２ａに載せ、頭頂部専用治具１１０をレール１０１の長手方向（図８における紙面に対して直交する方向）に沿って移動させて超音波探傷を行う。また、超音波探傷部位が頭部１０２の頭側部１０２ｂである場合には超音波探傷器の探触子１１３を固定した頭側部専用治具１１２を頭側部１０２ｂに載せて頭側部専用治具１１２をレール１０１の長手方向に沿って移動させ、超音波探傷部位が腹部１０４である場合に超音波探傷器の探触子１１５を固定した腹部専用治具１１４を腹部１０４に載せて腹部専用治具１１４をレール１０１の長手方向に沿って移動させ、超音波探傷部位が足部１０３の足裏部１０３ａである場合には超音波探傷器の探触子１１７を固定した足裏部専用治具１１６を足裏部１０３ａに載せて足裏部専用治具１１６をレール１０１の長手方向に沿って移動させて超音波探傷を行うようにしている。
【０００３】
一方、レール足部の溶接欠陥を超音波探傷で検査するレール用超音波探傷治具として、従来、例えば、特許文献１に示すものが知られている
特許文献１に示すレール用超音波探傷治具は、探傷面に付着させるマグネットと、溶接線と平行で走査方向と直交するＸ軸に設けたスライドレール及びスライダと、溶接線と直交する方向で走査方向のＹ軸に設けたスライドレール及びスライダと、被探傷面と探触子の超音波発振面を密着させるために設けた首振り機構を有する探触子保持具とを備えている。
この特許文献１に示すレール用超音波探傷治具によれば、レール足部の溶接欠陥を超音波で探傷する際、治具の走査方向を溶接線に対して直交するように設置することにより、正確で高能率なレール用超音波探傷治具とすることができる。
【先行技術文献】
【特許文献】
【０００４】
【特許文献１】実開平４−６３０６１号公報
【発明の概要】
【発明が解決しようとする課題】
【０００５】
ここで、特許文献１に示すレール用超音波探傷治具は、レール足部の溶接欠陥を超音波探傷で検査するものであり、超音波探傷部位がレールの頭側部である場合には利用することができない。
一方、超音波探傷部位がレールの頭側部である場合、前述したように、超音波探傷器の探触子１１３を固定した頭側部専用治具１１２を頭側部１０２ｂに載せて頭側部専用治具１１２をレール１０１の長手方向に沿って移動させ、超音波探傷を行う。しかし、頭側部１０２ｂの幅が狭いことに加え、レール材料の曲がりなどの寸法変動が要因で、頭側部専用治具１１２を頭側部１０２ｂに載せて超音波探傷を行う際に、頭側部専用治具１１２が安定せずに、探触子１１３が接触する箇所が当初予定の超音波探傷部位からずれてしまって疑似エコーが発生し、安定した超音波探傷を行うことができなかった。
従って、本発明はこの従来の問題点を解決するためになされたものであり、その目的は、レールの頭側部の超音波探傷を安定して行うことができるレール用超音波探傷治具、レールの頭側部の超音波探傷方法、レールの品質保証方法、及びレールの製造方法を提供することにある。
【課題を解決するための手段】
【０００６】
上記目的を達成するために、本発明の一態様に係るレール用超音波探傷治具は、頭頂部、頭側部及び頭下部を有する頭部と、足部と、前記頭部の頭下部と前記足部とを連結する腹部とを備えたレールの前記頭側部を超音波探傷するためのレール用超音波探傷治具であって、レールの頭側部上に載置されるとともに、超音波発振面が前記頭側部の頭側面に接触するように超音波探傷器の探触子を固定する頭側部対向部分と、前記レールの腹部上に載置される腹部対向部分と、前記頭側部対向部分と前記腹部対向部分とを接続する接続部分とを備えたことを要旨とする。
また、本発明の別の態様に係るレールの頭側部の超音波探傷方法は、前述のレール用超音波探傷治具を用いることを要旨とする。
また、本発明の別の態様に係るレールの品質保証方法は、前述のレールの頭側部の超音波探傷方法により品質保証を実施することを要旨とする。
更に、本発明の別の態様に係るレールの製造方法は、前述のレールの品質保証方法によりレールの品質保証を実施する工程を有することを要旨とする。
【発明の効果】
【０００７】
本発明に係るレール用超音波探傷治具、レールの頭側部の超音波探傷方法、レールの品質保証方法、及びレールの製造方法によれば、レールの頭側部の超音波探傷を安定して行うことができる。
【図面の簡単な説明】
【０００８】
【図１】レールの概略説明図である。
【図２】レールの製造工程を説明するための図である。
【図３】本発明の一実施形態に係るレール用超音波探傷治具を用いてレールの頭側部の超音波探傷を行う方法を説明するための図である。
【図４】図３に示すレール用超音波探傷治具の平面図である。
【図５】図３に示すレール用超音波探傷治具の正面図である。
【図６】参考例に係るレール用超音波探傷治具を用いてレールの頭側部の超音波探傷を行う方法を説明するための図である。
【図７】図６に示す参考例に係るレール用超音波探傷治具を用いてレールの頭側部の超音波探傷を行う別の方法を説明するための図である。
【図８】超音波探傷部位に応じてそれぞれ専用の超音波探傷治具を用いて超音波探傷を行う方法を説明するための図である。
【発明を実施するための形態】
【０００９】
以下、本発明の実施の形態を図面を参照して説明する。なお、図面は模式的なものであり、各要素の寸法関係、各要素の比率等は、現実的なものとは異なる場合があることに留意する必要がある。図面の相互間においても、互いの寸法関係や比率が異なる部分が含まれている場合がある。
先ず、図１には、本発明の一実施形態に係るレール用超音波探傷治具の探傷対象となるレール７０が示されており、レール７０は、鋼材で構成されて長手方向（図１において紙面に対して直交する前後方向）に細長く延び、頭部７１と、足部７２と、頭部７１と足部７２とを連結する腹部７３とを備えている。頭部７１は、頭頂部７１ａと、頭頂部７１ａの下側に位置する頭下部７１ｃと、頭頂部７１ａ及び頭下部７１ｃの幅方向両側に位置する一対の頭側部７１ｂとを有している。そして、頭頂部７１ａは頭頂面７１ａａで露出し、各頭側部７１ｂは頭側面７１ｂａで露出し、頭下部７１ｃは頭下面７１ｃａで露出している。頭下面７１ｃａは、幅方向両端の頭側面７１ｂａと交差する角部から幅方向中央に向けて徐々に立ち下がるように傾斜して形成されている。また、腹部７３は、頭下面７１ｃａの幅方向中央部に連結して上下方向に延び、幅方向両側の腹部側面７３ａで露出している。更に、足部７２は、腹部７３の下端に連結し、下側は足裏面７２ａで露出し、上側は足甲面７２ｂで露出している。
【００１０】
このレール７０の製造方法について述べると、図２に示すように、加熱工程において素材を所定の温度まで加熱し、加熱された素材を圧延工程において、所定の寸法、形状に仕上げる。その後、品質保証工程を経て製品は出荷される。ここで、品質保証工程は、製品となるレール７０の頭部７１、足部７２及び腹部７３の形状や内部の割れなどの検査工程を含むものであり、本実施形態に係るレール用超音波探傷治具１（図３乃至図５参照）を用いるレール７０の頭側部７１ｂの超音波探傷方法によりレール７０の品質保証を実施することをも含むものである。
【００１１】
次に、手動によってレール７０の頭側部７１ｂの超音波探傷を行う、本実施形態に係るレール用超音波探傷治具１について説明する。
レール用超音波探傷治具１は、図３に示すように、レール７０を、頭部７１の一方側の頭側面７１ｂａ及び腹部７３の一方側の腹部側面７３ａが上方（図３における上方）を向くように寝かした状態で用いられるものであり、レール７０の頭側部７１ｂ上に載置される頭側部対向部分２と、レール７０の腹部７３上に載置される腹部対向部分３と、頭側部対向部分２と腹部対向部分３とを接続する接続部分４とを備えている。頭側部対向部分２、腹部対向部分３及び接続部分４は、たとえば鋼材により一体に形成されている。
【００１２】
ここで、頭側部対向部分２は、図３乃至図５に示すように、前後方向（図４において上が「後」、下が「前」、レール７０の長手方向と同一方向））及び左右方向（図４において左が「左」、右が「右」、この左右方向がレール鉛直軸方向と同一方向となる）に延び、上下方向（図５において上が「上」下が「下」、レール７０の幅方向と略同一方向）に所定の板厚を有する略長方形状の平板構成を有する。そして、頭側部対向部分２は、図３に示すように、レール７０の頭側部７１ｂ上に載置された際に、その下面２１が頭側部７１ｂの頭側面７１ｂａに接触する。また、頭側部対向部分２の中央部には、図３乃至図５に示すように、上面と下面２１との間を貫通する丸穴形状の開口２２が形成されている。超音波探傷器の探触子５０は、図３に示すように、開口２２に挿入される。探触子５０は、取付フランジ５２を備える。探触子５０は、取付フランジ５２を複数（本実施形態にあっては２個）の取付けねじ５４によって頭側部対向部分２に取り付けることにより、頭側部対向部分２に固定される。取付フランジ５２には、図３に示すように、取付けねじ５４の雄ねじ部が通る貫通孔５３が形成され、頭側部対向部分２には、図３及び図４に示すように、取付けねじ５４の雄ねじ部が螺合する雌ねじ部２３が形成される。
【００１３】
また、腹部対向部分３は、図３乃至図５に示すように、前後方向及び左右方向に延び、上下方向に所定の板厚を有する略長方形状の平板構成を有する。そして、腹部対向部分３は、図３に示すように、レール７０の腹部７３上に載置された際に、その下面３１が腹部７３の腹部側面７３ａに接触する。また、腹部対向部分３の中央部には、図３乃至図５に示すように、上面と下面３１との間を貫通する丸穴形状の開口３２が形成されている。超音波探傷器の探触子６０は、図３に示すように、開口３２に挿入される。探触子６０は、取付フランジ６２を備える。探触子６０は、取付フランジ６２を複数（本実施形態にあっては２個）の取付けねじ６４によって腹部対向部分３に取り付けることにより、腹部対向部分３に固定される。取付フランジ６２には、図３に示すように、取付けねじ６４の雄ねじ部が通る貫通孔６３が形成され、腹部対向部分３には、図３及び図４に示すように、取付けねじ６４の雄ねじ部が螺合する雌ねじ部３３が形成される。
【００１４】
また、接続部分４は、頭側部７１ｂ上に載るために上側に位置する頭側部対向部分２と腹部７３上に載るために下側に位置する腹部対向部分３とを接続するものであり、図３において、頭側部対向部分２の下面２１の右端側と腹部対向部分３の左端面とを連結する。接続部分４は、頭側部対向部分２及び腹部対向部分３の前後方向の幅と同一の前後方向の幅を有する。そして、図３に示すように、接続部分４の頭下部７１ｃの頭下面７１ｃａに対向する対向面４ａは、頭下面７１ｃａに対応するように上から下に向けて傾斜する傾斜面で形成され、接続部分４の左右方向の厚みＴ４は上下方向に沿って徐々に変化している。また、腹部対向部分３の左右方向（レール鉛直軸方向）の長さＬ３と接続部分４の左右方向（レール鉛直軸方向）の厚みＴ４は、図３及び図５に示すように、腹部対向部分３を腹部７３上に載置した状態で腹部対向部分３を最も足部７２の足甲面７２ｂ側に移動させた場合に、接続部分４の頭下面７１ｃａに対向する対向面４ａと頭下面７１ｃａとの間の最大離間距離δが２ｍｍ以下となるように、設定されている。
【００１５】
次に、レール用超音波探傷治具１を用いたレール７０の頭側部７１ｂの超音波探傷方法について図３を参照して説明する。
先ず、レール用超音波探傷治具１の頭側部対向部分２に超音波探傷器の探触子５０を固定する。この際に、頭側部対向部分２に形成された開口２２に探触子５０を挿入し、取付けねじ５４を探触子５０の取付フランジ５２に形成された貫通孔５３を挿通して雌ねじ部２３に螺合する。これにより、探触子５０の超音波発振面５１は頭側部対向部分２の下面２１と面一になる。
また、レール７０の頭側部７１ｂ以外に腹部７３も同時に超音波探傷を行う場合には、レール用超音波探傷治具１の腹部対向部分３に前述の探触子５０とは別個の超音波探傷器の探触子６０を固定する。この際に、腹部対向部分３に形成された開口３２に探触子６０を挿入し、取付けねじ６４を探触子６０の取付フランジ６２に形成された貫通孔６３を挿通して雌ねじ部３３に螺合する。これにより、探触子６０の超音波発振面６１は腹部対向部分３の下面３１と面一になる。
【００１６】
次いで、レール７０を、頭部７１の一方側の頭側面７１ｂａ及び腹部７３の一方側の腹部側面７３ａが上方（図３における上方）を向くように寝かした状態で、レール用超音波探傷治具１の頭側部対向部分２をレール７０の頭側部７１ｂ上に、腹部対向部分３を腹部７３上に載置する。このとき、頭側部対向部分２の下面２１が頭側面７１ｂａに接触するとともに、頭側部対向部分２に固定された探触子５０の超音波発振面５１が頭側面７１ｂａに接触する。また、腹部対向部分３の下面３１が腹部側面７３ａに接触するとともに、腹部対向部分３に探触子６０が固定されている場合には探触子６０の超音波発振面６１も腹部側面７３ａに接触する。
そして、レール用超音波探傷治具１を頭部７１の長手方向の一端からレール７０の長手方向に沿って他端側に向けて移動させつつ探触子５０によって頭側部７１ｂの探傷をする。
【００１７】
ここで、本実施形態に係るレール用超音波探傷治具１によれば、レール７０の頭側部７１ｂ上に載置されるとともに、超音波発振面５１が頭側部７１ｂの頭側面７１ｂａに接触するように超音波探傷器の探触子５０を固定する頭側部対向部分２と、レール７０の腹部７３上に載置される腹部対向部分３と、頭側部対向部分２と腹部対向部分３とを接続する接続部分４とを備えている。このため、頭側部対向部分２を頭側部７１ｂ上に載せて超音波探傷を行う際に、頭側部対向部分２に接続部分４で接続された腹部対向部分３が腹部７３上に載置されるため、頭側部対向部分２が安定する。これにより、頭側部７１ｂの幅が狭くレール材料の曲がりなどの寸法変動があったとしても、頭側部対向部分２が安定し、探触子５０が接触する箇所が当初予定の超音波探傷部位からずれることなく疑似エコーが発生することなく、安定した頭側部７１ｂの超音波探傷を行うことができる。
【００１８】
そして、腹部対向部分３のレール鉛直軸方向の長さＬ３及び接続部分４のレール鉛直軸方向の厚みＴ４が、腹部対向部分３を腹部７３上に載置した状態で腹部対向部分３を最も足部７２の足甲面７２ｂ側に移動させた場合に、接続部分４の、頭下部７１ｃの頭下面７１ｃａに対向する対向面４ａと、頭下面７１ｃａとの間の最大離間距離が２ｍｍ以下となるように、設定されている。このため、レール用超音波探傷治具１をレール７０の長手方向に沿って移動させる際に、腹部対向部分３及び接続部分４がレール鉛直軸方向にほとんど移動せず、頭側部対向部分２がより一層安定する。このため、頭側部７１ｂの超音波探傷をより安定して行うことができる。
【００１９】
また、レール用超音波探傷治具１の腹部対向部分３に超音波探傷器の探触子６０を固定した場合、レール用超音波探傷治具１を頭部７１の長手方向の一端からレール７０の長手方向に沿って他端側に向けて移動させつつ探触子５０によって頭側部７１ｂの探傷をする際に、同時に探触子６０によって腹部７３の超音波探傷をも行うことができる。この場合、レール７０の超音波探傷時間を短縮することができる。
また、本実施形態に係るレール用超音波探傷治具１を用いたレール７０の頭側部７１ｂの超音波探傷方法によりレール７０の品質保証を実施するレールの品質保証方法が提供される。このため、レール７０の高精度・高効率な品質保証が可能となる。
更に、レール７０の製造工程においては、本実施形態に係るレール用超音波探傷治具１を用いたレール７０の頭側部７１ｂの超音波探傷方法によりレール７０の品質保証を実施する品質保証工程を含んでいる。このため、高品質の頭側部７１ｂを有するレール７０を効率よく製造することができる。
【００２０】
次に、参考例に係るレール用超音波探傷治具を用いて行うレールの頭側部の超音波探傷方法について、図６及び図７を参照して説明する。図６及び図７において、図３に示す部材と同一の部材については同一の符号を付し、その説明を省略することがある。
図６に示す参考例に係るレール用超音波探傷治具８０は、レール７０の頭側部７１ｂの超音波探傷を行う一般的なレール用超音波探傷治具の一例であり、レール７０の頭側部７１ｂ上に載置される頭側部対向部分８１を備えている。そして、頭側部対向部分８１の右端部（レール鉛直軸方向の足甲側の端部）には、頭側部対向部分８１の左方への移動を規制する規制片８２が突出形成されている。そして、頭側部対向部分８１は、レール７０の頭側部７１ｂ上に載置された際に、その下面８３が頭側部７１ｂの頭側面７１ｂａに接触する。また、頭側部対向部分８１の中央部には、上面と下面８３との間を貫通する丸穴形状の開口８４が形成されている。超音波探傷器の探触子５０は、開口８４に挿入され、取付けねじ５４により頭側部対向部分８１に固定される。
【００２１】
このレール用超音波探傷治具８０を用いてレール７０の頭側部７１ｂの超音波探傷を行った場合、規制片８２があることから頭側部対向部分８１の左方側への移動はある程度規制できるが、その反対側である右方側（レール鉛直軸方向の足甲側）への移動を規制することができない。このため、レール用超音波探傷治具８０が安定せずに、探触子５０が接触する箇所が当初予定の超音波探傷部位からずれてしまって疑似エコーが発生し、安定した超音波探傷を行うことができなかった。
【００２２】
また、図７に示すレールの頭側部の超音波探傷方法の場合には、図６に示すレール用超音波探傷治具８０と同様のレール用超音波探傷治具８０を用いる。そして、２つ以上のレール７０を左右方向に並べ、例えば、右方のレール７０の頭側部７１ｂ上にレール用超音波探傷治具８０の頭側部対向部分８１を載置して当該頭側部７１ｂの超音波探傷を行う。この場合、超音波探傷が行われない左方のレール７０の足部７２が頭側部対向部分８１の左方側への移動を規制する。しかし、頭側部対向部分８１の右方側への移動は規制できない。また、超音波探傷が行われない左方のレール７０の足部７２の微小な曲がりや寸法変動が要因で頭側部対向部分８１が変動し、探触子５０が接触する箇所が当初予定の超音波探傷部位からずれてしまい安定した超音波探傷を行うことができなかった。
【００２３】
これに対して、本実施形態に係るレール用超音波探傷治具１の場合には、レール７０の頭側部７１ｂ上に載置されるとともに、超音波発振面５１が頭側部７１ｂの頭側面７１ｂａに接触するように超音波探傷器の探触子５０を固定する頭側部対向部分２と、レール７０の腹部７３上に載置される腹部対向部分３と、頭側部対向部分２と腹部対向部分３とを接続する接続部分４とを備えている。このため、頭側部対向部分２を頭側部７１ｂ上に載せて超音波探傷を行う際に、頭側部対向部分２に接続部分４で接続された腹部対向部分３が腹部７３上に載置されるため、頭側部対向部分２が安定する。これにより、探触子５０が接触する箇所が当初予定の超音波探傷部位からずれることなく疑似エコーが発生することなく、安定した頭側部７１ｂの超音波探傷を行うことができる。
【００２４】
以上、本発明の実施形態について説明してきたが、本発明はこれに限定されず種々の変更、改良を行うことができる。
例えば、腹部対向部分３に、超音波探傷器の探触子６０を固定する必要は必ずしもない。このため、腹部対向部分３に、探触子６０を挿入するための開口３２や雌ねじ部３３を形成する必要は必ずしもない。
また、レールの製造方法においては、圧延工程と品質保証工程との間に、熱処理工程や矯正工程を設けてもよい。
【実施例】
【００２５】
ＪＩＳ  Ｅ  １１０１に規定されているレールのうち、頭側部の幅が比較的狭いＪＩＳ４０ｋｇＮレールの頭側部に対して、本発明例及び比較例のレール用超音波探傷治具を用いて超音波探傷を行った。
本発明例のレール用超音波探傷治具は、図３に示すレール用超音波探傷治具１であり、比較例のレール用超音波探傷治具は、図６に示すレール用超音波探傷治具８０である。
その結果、比較例のレール用超音波探傷治具を用いて超音波探傷を行った場合の疑似エコーと認定された比率は３０％〜５０％であるのに対し、本発明例のレール用超音波探傷治具を用いて超音波探傷を行った場合の疑似エコーと認定された比率は５％以下まで低減することを確認した。
また、本発明例のレール用超音波探傷治具を用いて頭側部の超音波探傷を行うと同時に腹部の超音波探傷も同時に行った。その結果、頭側部の超音波探傷と腹部の超音波探傷とを別に行った場合と比較して、レール１本当たり約１５％の超音波探傷時間の削減が確認できた。
【符号の説明】
【００２６】
１  レール用超音波探傷治具
２  頭側部対向部分
３  腹部対向部分
４  接続部分
４ａ  対向面
２１  頭側部対向部分の下面
２２  開口
２３  雌ねじ部
３１  腹部対向部分の下面
３２  開口
３３  雌ねじ部
５０  探触子
５１  超音波発振面
５２  取付フランジ
５３  貫通孔
５４  取付ねじ
６０  探触子
６１  超音波発振面
６２  取付フランジ
６３  貫通孔
６４  取付ねじ
７０  レール
７１  頭部
７１ａ  頭頂部
７１ａａ  頭頂面
７１ｂ  頭側部
７１ｂａ  頭側面
７１ｃ  頭下部
７１ｃａ  頭下面
７２  足部
７２ａ  足裏面
７２ｂ  足甲面
７３  腹部
７３ａ  腹部側面
【図１】
2019144032.tif 000003
【図２】
2019144032.tif 000004
【図３】
2019144032.tif 000005
【図４】
2019144032.tif 000006
【図５】
2019144032.tif 000007
【図６】
2019144032.tif 000008
【図７】
2019144032.tif 000009
【図８】
2019144032.tif 000010